(57)【要約】【課題】汎用ハイパーテキスト閲覧ソフトを用いて遠隔監視を行うにあたり、携帯端末の利用形態に則し、柔軟に中断、再開を行うことができる遠隔監視システムを得る。【解決手段】遠隔監視端末１から汎用ハイパーテキスト閲覧ソフト１０により、遠隔監視サーバ３にネットワーク２を介して画面データを要求すると、遠隔監視サーバ３は、要求に含まれる画面データの更新時刻により、有効期間内の画面データを要求された場合には、画面データの更新データを遠隔監視端末１に供給し、有効期間外の画面データを要求された場合には、新たにプラントからの収集データに基づき、新たに更新データを生成して遠隔監視端末１に供給し、更新データを受信した遠隔監視端末１では、画面表示を更新する。【選択図】        図１
2004240876.tif 000002
【特許請求の範囲】
【請求項１】
監視データを供給する遠隔監視サーバ、及びハイパーテキスト閲覧ソフトを有し、上記遠隔監視サーバにネットワークを介して監視データを要求することにより上記遠隔監視サーバから供給された監視データを用いて画面表示を行う遠隔監視端末を備え、上記遠隔監視サーバは、監視データの有効期間を管理し、上記遠隔監視端末からの要求に応じて、上記ハイパーテキスト閲覧ソフトで表示可能なハイパーテキストの監視データを供給する監視データサーバと、この監視データサーバにより供給される監視データを上記遠隔監視端末に送信するハイパーテキストサーバとによって構成され、上記監視データサーバは、上記遠隔監視端末によって有効期間内の監視データを要求された場合には、上記監視データの更新データを上記遠隔監視端末に供給し、有効期間外の監視データを要求された場合には、新たに監視データを生成して供給することを特徴とする遠隔監視システム。
【請求項２】
上記遠隔監視端末は、上記遠隔監視サーバによって供給された監視データに基づき画面表示を行う監視プログラムを上記遠隔監視サーバからダウンロードすると共に、上記ダウンロードされた監視プログラムは、上記遠隔監視サーバによって供給された監視データが有効期間内であるかどうかを上記監視データ中の情報に基づき判定し、上記判定により上記監視データが有効期間内であれば、上記遠隔監視サーバに上記監視データを更新する更新データの要求を行い、上記有効期間外であれば、上記遠隔監視サーバに画面表示を構成する画面データを含む監視データの要求を行うことを特徴とする請求項１記載の遠隔監視システム。
【請求項３】
上記遠隔監視サーバは、上記遠隔監視端末によって表示される画面間の関係を画面の有効期間と共に予め定義された画面定義テーブルを有し、上記遠隔監視端末から監視データを要求されたときは、上記要求された監視データに関連して上記画面定義テーブルによって定義される画面に対応した監視データを生成して上記遠隔監視端末に供給することを特徴とする請求項１または請求項２記載の遠隔監視システム。
【発明の詳細な説明】
【０００１】
【発明の属する技術分野】
この発明は、プラントの状態を制御室から離れた場所で、遠隔監視端末を用いて監視する遠隔監視システムに関するものである。
【０００２】
【従来の技術】
従来の監視制御システムは、プラントと共に同一敷地内に設置され、専用の監視制御端末を専用の回線に接続して、監視制御を行うものであった。このような監視制御システムでは、監視制御端末が設置された場所でしか監視制御業務を行うことができない。また、自宅やオフィスに端末を持ち出す場合には、専用プログラムの保守が困難になるという問題があった。
このような問題を解決するものとして、特許文献１には、汎用のハイパーテキスト閲覧ソフト（Ｗｅｂブラウザ）のみを監視制御端末に用意しておき、必要なプログラムを実行時にインターネットを通じてダウンロードして実行する技術について述べている。
【０００３】
【特許文献１】
特開２００１−６７１１４号公報（段落番号００１１〜００３１、第１図）
【０００４】
【発明が解決しようとする課題】
ところで汎用のハイパーテキスト閲覧ソフトを用いた遠隔監視システムには、以下のような問題がある。
汎用のハイパーテキスト閲覧ソフトは、基本的には指定したハイパーテキストを表示する機能を有し、監視システムに必要な表示更新機能は、ハイパーテキストサーバに、複数のハイパーテキスト又はハイパーテキスト生成手段及び、複数データの更新を制御する手段を備えることによって実現される。端末側では、更新手段を最初から実行することが必要であり、持ち運びによって通信が中断したり、使用時のみソフトを動作させる携帯端末から利用する場合、そのつど初期画面より開始する必要がある。
また、端末側に遠隔監視プログラムをダウンロードし、ダウンロードしたプログラムを用いて表示更新を行うシステムにおいても、携帯端末の中断時には監視データの送信を終了するため、携帯端末の再開時に継続して監視データを送信する手段の実現が必要になる。
【０００５】
この発明は、上記のような課題を解決するためになされたものであり、汎用ハイパーテキスト閲覧ソフトを用いて遠隔監視を行うにあたり、携帯端末の利用形態に則し、柔軟に中断、再開を行うことができる遠隔監視システムを得ることを目的とする。
【０００６】
【課題を解決するための手段】
この発明に係わる遠隔監視システムにおいては、監視データを供給する遠隔監視サーバ、及びハイパーテキスト閲覧ソフトを有し、遠隔監視サーバにネットワークを介して監視データを要求することにより遠隔監視サーバから供給された監視データを用いて画面表示を行う遠隔監視端末を備え、遠隔監視サーバは、監視データの有効期間を管理し、遠隔監視端末からの要求に応じて、ハイパーテキスト閲覧ソフトで表示可能なハイパーテキストの監視データを供給する監視データサーバと、この監視データサーバにより供給される監視データを遠隔監視端末に送信するハイパーテキストサーバとによって構成され、監視データサーバは、遠隔監視端末によって有効期間内の監視データを要求された場合には、監視データの更新データを遠隔監視端末に供給し、有効期間外の監視データを要求された場合には、新たに監視データを生成して供給するものである。
【０００７】
【発明の実施の形態】
実施の形態１．
以下、この発明の実施の形態１を図に基づいて説明する。
図１は、この発明の実施の形態１による遠隔監視システムを示す構成図である。
図１において、遠隔監視端末１は、インターネット２を介して監視データを受信し、画面表示を更新する。この遠隔監視端末１に、インターネット２を介して接続された遠隔監視サーバ３は、遠隔監視端末１に監視データを送信する。遠隔監視端末１は、ハイパーテキスト閲覧ソフト１０により、遠隔監視サーバ３が備えるハイパーテキストサーバ３１からハイパーテキストデータを受信し、表示を更新する。ハイパーテキストサーバ３１は、汎用のハイパーテキスト送受信プロトコルにより、ハイパーテキスト閲覧ソフト１０と通信するハイパーテキスト送信手段３２を有する。
遠隔監視サーバ３は、さらに、プラントデータを遠隔監視端末１で表示するための監視データを供給する監視データサーバ３３を有し、この監視データサーバ３３は、ハイパーテキスト閲覧ソフト１０で表示可能なハイパーテキストを生成する監視データ生成手段３４と、複数の監視データの有効期間を管理する監視データ管理手段３５を有する。
図２は、この発明の実施の形態１による遠隔監視システムにおける監視データサーバの動作を示すフローチャートであり、監視データ管理手段の処理を示している。
【０００８】
次に、監視データ管理手段の動作について、図２を用いて説明する。
監視データ管理手段３５は、遠隔監視端末１の備えるハイパーテキスト閲覧ソフト１０がハイパーテキストサーバ３１に画面表示を更新するための画面データを要求したとき、ハイパーテキストサーバ３１により画面データ要求受信の通知を受ける（ステップＳＴ１０）。次いで、画面データ要求が、前回送信した更新データに含まれる更新時刻を含むかどうかを判断し（ステップＳＴ１１）、含む場合は、更新時刻がデータの有効期間内であるかどうかを判断する（ステップＳＴ１２）。有効期間内の場合、ハイパーテキスト送信手段３２を用いて、前回からの変化分の更新データを送信する（ステップＳＴ１３）。更新データを受信したハイパーテキスト閲覧ソフト１０は、表示を更新する。更新データには、次回の画面データ要求と、次回の画面データ要求を行うまでの時間すなわち更新時刻が含まれ、ここで指定された時間の経過後、画面データ要求が行われる。これを繰り返すことによってデータの更新を行う。
【０００９】
次に、ハイパーテキスト閲覧ソフト１０に最初に画面を表示する場合、及び、別の画面を表示する場合について説明する。
ステップＳＴ１１において、画面データ要求に前回のデータに含まれる更新時刻がない場合は、プラントから収集したデータに基づき画面表示に用いられる更新データの生成処理を、監視データ生成手段３４において開始する（ステップＳＴ１４）。その後、ハイパーテキスト送信手段３２を用いて更新データを送信する。監視データ生成手段３４においては、更新データ生成処理開始後、規定時間内に次回画面データ要求があるかどうかの確認を行い（ステップＳＴ１５）、画面データ要求がない場合、更新データ生成処理を終了する（ステップＳＴ１６）。この処理により不要なプラントデータを処理し続けることが防止できる。
【００１０】
また、遠隔監視端末１において、ハイパーテキスト閲覧ソフト１０の動作を中断し、ある時間の後、再開した場合、画面データ要求を行うべき時刻を過ぎているため、画面データ要求を行っても、ステップＳＴ１２において更新時刻が更新データの有効期間外となる。この場合、監視データ生成手段３４においては、ステップＳＴ１６により更新データ生成処理は終了しているため、再度ステップＳＴ１４により更新データ生成処理を開始した後、更新データの送信を行うことで、表示更新を再開することができる。
【００１１】
実施の形態１によれば、遠隔監視端末において汎用ハイパーテキスト閲覧ソフトの動作の中断、再開に伴う表示更新を、遠隔監視端末の利用形態に則して柔軟に行うことができる。
【００１２】
実施の形態２．
以下、この発明の実施の形態２を図に基づいて説明する。
図３は、この発明の実施の形態２による遠隔監視システムの遠隔監視端末を示す構成図である。
図３において、図１の構成に付加された監視プログラム１１は、汎用ハイパーテキスト閲覧ソフト１０により、インターネット２を介して、ハイパーテキストサーバ３１から遠隔監視端末１にダウンロードされ、汎用ハイパーテキスト閲覧ソフト１０により実行され、監視データを遠隔監視サーバ３より取得し、表示更新を行う。なお、図示していないが、遠隔監視サーバ３は、図１におけるものと同様に構成されている。
図４は、この発明の実施の形態２による遠隔監視システムにおける監視プログラムの動作を示すフローチャートである。
【００１３】
次に、監視プログラムの動作について説明する。
監視プログラム１１は、汎用ハイパーテキスト閲覧ソフト１０により実行開始されたとき、表示すべき画面データが取得済みかどうかを確認する（ステップＳＴ２０）。画面データが取得済みの場合、その画面データが、画面データ内に指定された有効期間内かどうかを確認する（ステップＳＴ２１）。画面データが有効期間内の場合、変化分の更新データのみを遠隔監視サーバ３へ要求する（ステップＳＴ２２）。遠隔監視サーバ３から画面データを受信後（ステップＳＴ２３）、画面表示を更新し（ステップＳＴ２４）、以降この処理を繰り返し監視を行う。
次に、監視プログラム１１によって最初に画面を表示する場合、及び、別の画面を表示する場合について説明する。
ステップＳＴ２０において、画面データが未取得のため、遠隔監視サーバ３に画面データを要求する（ステップＳＴ２５）。その後、遠隔監視サーバ３から画面データを受信後（ステップＳＴ２３）、画面表示を更新する（ステップＳＴ２４）。
【００１４】
また、遠隔監視端末１においてハイパーテキスト閲覧ソフト１０の動作を中断し、ある時間の後、再開した場合、監視プログラム１１の動作も中断し、ハイパーテキスト閲覧ソフト１０の動作再開後、監視プログラム１１の動作が再開する。この場合、ステップＳＴ２１において、画面データが有効期間外となるため、遠隔監視サーバ３に画面データを要求する（ステップＳＴ２５）。
【００１５】
実施の形態２によれば、これによりハイパーテキスト閲覧ソフト１０上で動作する監視プログラム１１によって表示更新を行う画面についても、ハイパーテキスト閲覧ソフト１０の中断、再開にあわせて、表示更新を再開可能となる。
【００１６】
実施の形態３．
以下、この発明の実施の形態３を図に基づいて説明する。
図５は、この発明の実施の形態３による遠隔監視システムの監視データサーバを示す構成図である。
図５において、監視データサーバ３３は、監視データ管理手段３５によって参照される画面定義テーブル３６を有し、この画面定義テーブル３６は、各監視画面について有効期間と有効期間が過ぎた場合に戻るべき画面を定義したものである。監視データ管理手段３５は、画面データの有効期間の判定にこの画面定義テーブル３６を用い、かつ、有効期間外の場合に更新データ生成処理を開始する際に、画面定義テーブル３６に指定された戻り先画面を生成する。
【００１７】
図６は、この発明の実施の形態３による遠隔監視システムにおける監視データサーバが参照する画面定義テーブルを示す図である。
図６において、画面Ａは、戻り先画面がなく、有効期間もない画面で、初期画面等に相当する。画面Ｂ、画面Ｃ及び画面Ｅは、画面Ａを戻り先画面とし、有効期間が１０分の画面で、ある特定のプラントデータを表示する画面である。画面Ｄは、画面Ｃを戻り先画面とし、有効期間が３０秒の画面で、設定変更画面など一時的に表示する画面であり、長期間を空けて操作することが適当でない画面である。
図７は、この発明の実施の形態３による遠隔監視システムにおける監視データサーバの動作を示すフローチャートであり、監視データ管理手段の処理を示している。
【００１８】
次に、図７を用いて、監視データ管理手段の処理について説明する。
まず、画面データ要求が有効期間内であるかどうかを判断し（ステップＳＴ３１）、有効期間内であれば、監視データ生成手段３４によって画面データ生成処理を行う（ステップＳＴ３２）。画面データ要求が、有効期間外の場合、生成すべき画面データを、画面定義テーブル３６に指定された戻り先画面とし（ステップＳＴ３３）、再度ステップＳＴ３１による判定を繰り返す。
遠隔監視端末１において、ハイパーテキスト閲覧ソフト１０の動作を中断し、ある時間の後、再開した場合、図６の例では、画面Ｄを表示した状態で、３０秒以内の中断の場合、画面Ｄの表示を再開し、１０分以内の場合、画面Ｃの表示を再開し、１０分より長い時間中断した場合、画面Ａの表示を再開する。
【００１９】
実施の形態３によれば、このように、ハイパーテキスト閲覧ソフトの動作を中断した時間に応じて、再開する画面を切換えることによって、中断、再開の度に初期画面から再開する煩わしさを解消し、かつ、時間を空けると誤操作を招く可能性のある画面での再開を防止することができる。
【００２０】
【発明の効果】
この発明は、以上説明したように構成されているので、以下に示すような効果を奏する。
監視データを供給する遠隔監視サーバ、及びハイパーテキスト閲覧ソフトを有し、遠隔監視サーバにネットワークを介して監視データを要求することにより遠隔監視サーバから供給された監視データを用いて画面表示を行う遠隔監視端末を備え、遠隔監視サーバは、監視データの有効期間を管理し、遠隔監視端末からの要求に応じて、ハイパーテキスト閲覧ソフトで表示可能なハイパーテキストの監視データを供給する監視データサーバと、この監視データサーバにより供給される監視データを遠隔監視端末に送信するハイパーテキストサーバとによって構成され、監視データサーバは、遠隔監視端末によって有効期間内の監視データを要求された場合には、監視データの更新データを遠隔監視端末に供給し、有効期間外の監視データを要求された場合には、新たに監視データを生成して供給するので、遠隔監視端末においてハイパーテキスト閲覧ソフトの動作の中断、再開に伴う表示更新を、遠隔監視端末の利用形態に則して柔軟に行うことができる。
【図面の簡単な説明】
【図１】この発明の実施の形態１による遠隔監視システムを示す構成図である。
【図２】この発明の実施の形態１による遠隔監視システムにおける監視データサーバの動作を示すフローチャートである。
【図３】この発明の実施の形態２による遠隔監視システムの遠隔監視端末を示す構成図である。
【図４】この発明の実施の形態２による遠隔監視システムにおける監視プログラムの動作を示すフローチャートである。
【図５】この発明の実施の形態３による遠隔監視システムの監視データサーバを示す構成図である。
【図６】この発明の実施の形態３による遠隔監視システムにおける監視データサーバが参照する画面定義テーブルを示す図である。
【図７】この発明の実施の形態３による遠隔監視システムにおける監視データサーバの動作を示すフローチャートである。
【符号の説明】
１  遠隔監視端末、２  インターネット、３  遠隔監視サーバ、
１０  ハイパーテキスト閲覧ソフト、１１  監視プログラム、
３１  ハイパーテキストサーバ、３２  ハイパーテキスト送信手段、
３３  監視データサーバ、３４  監視データ生成手段、
３５  監視データ管理手段、３６  画面定義テーブル。
【図１】
2004240876.tif 000003
【図２】
2004240876.tif 000004
【図３】
2004240876.tif 000005
【図４】
2004240876.tif 000006
【図５】
2004240876.tif 000007
【図６】
2004240876.tif 000008
【図７】
2004240876.tif 000009